(57)【要約】【課題】コンテンツ情報の授与に好適な情報授与方法および情報授与システムを提供する。【解決手段】広告情報の複数の情報提供側装置ＳＰからリアルタイムで提供される情報を情報授与システムＳＶの情報整備部００２１が受け、認証・課金部００２３で処理する一方、データベース部ＤＢに更新記憶する。また情報送出部００２２が受理側装置ＣＬから送付された要求信号ＣＬａを受けると、データベース部ＤＢを検索して該当する情報を取りだし、複数の情報提供側装置ＳＰが提供する複数のライブ映像を同一画面に表示可能なコンテンツ情報Ｃｔｓとして送出信号ＳＶａに載せ、受理側装置ＣＬへ授与してリアルタイム呈示させる。また複数の提供情報を同時比較し、所定の基準で順位付けた結果をコンテンツ情報Ｃｔｓとして送出信号ＳＶａに載せ、受理側装置ＣＬへ授与して呈示させる。【選択図】　　　　図１
2004078551.tif 000002
【特許請求の範囲】
【請求項１】
情報を情報提供側装置から受け、記憶手段に記憶させるか、または前記記憶手段に前記情報に基づき記憶内容を更新させる整備過程と、
前記記憶手段に記憶した前記情報のうち任意の着目する前記情報を着目情報とし、前記着目情報の送出を所望する受理側装置から通信機構を経由して送付された要求情報を受ける受取過程と、
記憶された前記情報に基づき前記要求情報に適合する前記着目情報を作成する作成過程と、
前記着目情報を、前記受理側装置が受理して画面、または画面および音声により呈示可能な構成として前記受理側装置へ通信機構を経由して送出する送出過程と、
を備えることを特徴とする情報授与方法。
【請求項２】
前記整備過程は、複数の情報提供側装置から複数の前記情報を受け、
（１）前記記憶手段に前記情報を記憶させるか、または、
（２）前記記憶手段に前記情報に基づき記憶内容を更新させるか、
の少なくとも何れかを実行し、
前記作成過程は、前記複数の情報提供側装置から受けた複数の情報に基づき前記着目情報を、
（３）複数の情報提供側装置からの前記複数の情報を同一画面上に表示する構成とするか、または、
（４）複数の情報提供側装置からの前記複数の情報の比較に基づき構成するか、
の少なくとも何れかを実行することを特徴とする請求項１記載の情報授与方法。
【請求項３】
前記受理側装置から送付された、前記情報提供側装置に係る付加情報または前記情報提供側装置を司る情報提供側に係る付加情報を記憶する付加情報記憶過程を備え、
前記作成過程で、
（５）前記着目情報を前記付加情報に基づいて構成するか、または、
（６）前記着目情報を、複数の前記付加情報の対比に基づき構成するか、
の少なくとも何れかを実行することを特徴とする請求項１または２の何れかに記載の情報授与方法。
【請求項４】
前記要求情報が位置データを有して成り、
前記着目情報を前記位置情報に対応付けられた情報とすることを特徴とする請求項１、２または３の何れかに記載の情報授与方法。
【請求項５】
前記着目情報の提供量に基づいて前記情報提供側装置への課金額の演算処理を実行する課金過程を備えたことを特徴とする請求項１乃至４の何れかに記載の情報授与方法。
【請求項６】
前記要求情報の送付量または前記着目情報の送出量に基づいて前記受理側装置への課金額の演算処理を実行する課金決済過程を備えたことを特徴とする請求項１乃至５の何れかに記載の情報授与方法。
【請求項７】
情報を記憶する記憶手段と、
前記情報を情報提供側装置から受け、前記記憶手段に前記情報を記憶させるか、または前記記憶手段に前記情報に基づき記憶内容を更新させる整備手段と、
前記記憶手段に記憶した前記情報のうち任意の着目する前記情報を着目情報とし、前記着目情報の送出を所望する受理側装置から通信機構を経由して送付された要求情報を受ける受取手段と、
記憶された前記情報に基づき前記要求情報に適合する前記着目情報を作成する作成手段と、
前記着目情報を、前記受理側装置が受理して画面、または画面および音声により呈示可能な構成として前記受理側装置へ通信機構を経由して送出する送出手段と、
を具備する構成としたことを特徴とする情報授与システム。
【請求項８】
前記整備手段は、複数の情報提供側装置から複数の前記情報を受け、
（１）前記記憶手段に前記情報を記憶させるか、または、
（２）前記記憶手段に前記情報に基づき記憶内容を更新させるか、
の少なくとも何れかを実行し、
前記作成手段は、前記複数の情報提供側装置から受けた複数の情報に基づき前記着目情報を、
（３）複数の情報提供側装置からの前記複数の情報を同一画面上に表示する構成とするか、または、
（４）複数の情報提供側装置からの前記複数の情報の比較に基づき構成するか、
の少なくとも何れかを実行することを特徴とする、
請求項７記載の情報授与システム。
【請求項９】
前記受理側装置から送付された、前記情報提供側装置に係る付加情報または前記情報提供側装置を司る情報提供側に係る付加情報を記憶する付加情報記憶手段を具備し、
前記作成手段は、
（５）前記着目情報を前記付加情報に基づいて構成するか、または、
（６）前記着目情報を、複数の前記付加情報の対比に基づき構成するか、
の少なくとも何れかを実行することを特徴とする請求項７または８の何れかに記載の情報授与システム。
【請求項１０】
前記要求情報が位置データを有して成り、
前記着目情報を前記位置情報に対応付けられた情報とすることを特徴とする請求項７、８または９の何れかに記載の情報授与システム。
【請求項１１】
前記着目情報の提供量に基づいて前記情報提供側装置への課金額の演算処理を実行する課金手段を具備することを特徴とする請求項７乃至１０の何れかに記載の情報授与システム。
【請求項１２】
前記要求情報の送付量または前記着目情報の送出量に基づいて前記受理側装置への課金額の演算処理を実行する課金決済手段を具備することを特徴とする請求項７乃至１１の何れかに記載の情報授与システム。
【発明の詳細な説明】
【０００１】
【発明の属する技術分野】
本発明は、情報授与方法および情報授与システムに関する。とりわけ複数の情報提供側装置から入手したコンテンツ情報を一括管理して情報更新するとともに情報加工を施し、情報受理側装置へ有料で供給可能な情報授与方法および情報授与システムに関する。
【０００２】
【従来の技術】
昨今のブロードバンド通信環境の普及にともなう、映像を主体としたコンテンツ情報の授受に係る技術の進展には顕著なものがある。とりわけ携帯電話や携帯情報端末等の適用を可能にするブロードバンド無線通信環境の整備により移動中の端末から中央のデータベースをアクセスして比較的大容量のコンテンツ情報の取込み入手を容易にする環境整備の推進に伴い、コンテンツ情報の授与に関連する種々のビジネスモデルの展開が期待されている。
また移動体通信に限定されることなく、任意の地点に位置する端末から情報を受けて当該位置に関する情報を通信回線経由で授与する技術が開示されている。
【０００３】
その一例として、地図情報に静止画による地上写真画像情報を対応させたデータベースを準備し、通信ネットワーク経由でこれら情報を提供する地上写真画像情報提供システムが開示されている。
これは地上写真画像情報（人工衛星撮影写真画像や航空機撮影写真画像）や広告情報を蓄積し、端末からネットワーク経由で送付された地理的情報などに基づき当該地理的要件に該当する地上写真画像情報や広告情報を提供するものとされ、サーバシステムは、地上を撮影した地上写真画像情報と、それに対応する座標位置情報を記憶蓄積する地上写真画像情報データベースおよび、座標位置情報と広告情報との対応関係を記憶する広告情報データベースを有して構成されており、ユーザ端末から位置情報や指定要求事項の情報をネットワークを通して受けると、これらに基づき地上写真画像情報データベースと広告情報データベースを検索し、該当する地域画像と広告情報をネットワークを通してユーザ端末へ送信するよう構成されている。
【０００４】
或いは広告情報を、サービス提供側がインターネットのＷｅｂページで公開し、利用者がブラウザによりＷｅｂページを取込み開いて広告情報を観ることが広く普及している。
【０００５】
【発明が解決しようとする課題】
しかしながら上記のような従来の情報授与システムの構成は、個々の広告情報を効率的または／および広範な範囲を対象に検索・閲覧するための技術的構成に配慮されてはいるものの、例えば複数のサービス提供側によるコンテンツ情報を同時に同一画面に表示して、利用者による同時比較を可能にするものではなかった。とりわけインターネットのＷｅｂページ利用では、例えばブラウザ上からハイパーリンク構成で容易に別のＵＲＬのサービス提供側のＷｅｂページへ移動して当該サービス提供側の広告情報を閲覧することができ、またネットサーフィンで任意の多くのＷｅｂページへ移動することができるが、同一画面に複数のサービス提供側によるリアルタイムのコンテンツ情報を同時に、一挙に表示する構成には適合しなかった。
【０００６】
さらに、複数のサービス提供側によるコンテンツ情報に基づき、それらの内容の比較により情報加工して利用者にネットワーク経由で提供するといったビジネス運営に適合する方途が準備されているものではなかった。
【０００７】
本発明は前記のような従来技術の課題の解決を目的とするものであり、複数の情報提供側装置から入手した情報を管理して受理側装置へ供給する情報授与方法および情報授与システムを提供することを目的とする。
【０００８】
【課題を解決するための手段】
以下、本発明の手段を説明する。
前記課題を解決するため本発明の請求項１に係る情報授与方法は、情報を情報提供側装置から受け、記憶手段に記憶させるか、または前記記憶手段に前記情報に基づき記憶内容を更新させる整備過程と、
前記記憶手段に記憶した前記情報のうち任意の着目する前記情報を着目情報とし、前記着目情報の送出を所望する受理側装置から通信機構を経由して送付された要求情報を受ける受取過程と、
記憶された前記情報に基づき前記要求情報に適合する前記着目情報を作成する作成過程と、
前記着目情報を、前記受理側装置が受理して画面、または画面および音声により呈示可能な構成として前記受理側装置へ通信機構を経由して送出する送出過程と、
を備えることを特徴とする。
【０００９】
本発明の請求項７に係る情報授与システムは、
情報を記憶する記憶手段と、
前記情報を情報提供側装置から受け、前記記憶手段に前記情報を記憶させるか、または前記記憶手段に前記情報に基づき記憶内容を更新させる整備手段と、
前記記憶手段に記憶した前記情報のうち任意の着目する前記情報を着目情報とし、前記着目情報の送出を所望する受理側装置から通信機構を経由して送付された要求情報を受ける受取手段と、
記憶された前記情報に基づき前記要求情報に適合する前記着目情報を作成する作成手段と、
前記着目情報を、前記受理側装置が受理して画面、または画面および音声により呈示可能な構成として前記受理側装置へ通信機構を経由して送出する送出手段と、
を具備する構成としたことを特徴とする。
【００１０】
請求項１の情報授与方法および請求項７の情報授与システムによれば、情報提供側装置から提供された情報が情報授与システムにおいて記憶され、受理側から送出要求があると記憶された情報の中で送出要求に該当する情報に基づき着目情報が作成され、当該着目情報が情報授与システムから該当する受理側装置へ送出される。
【００１１】
本発明の請求項２に係る情報授与方法は、請求項１記載のもので、
前記整備過程は、複数の情報提供側装置から複数の前記情報を受け、
（１）前記記憶手段に前記情報を記憶させるか、または、
（２）前記記憶手段に前記情報に基づき記憶内容を更新させるか、
の少なくとも何れかを実行し、
前記作成過程は、前記複数の情報提供側装置から受けた複数の情報に基づき前記着目情報を、
（３）複数の情報提供側装置からの前記複数の情報を同一画面上に表示する構成とするか、または、
（４）複数の情報提供側装置からの前記複数の情報の比較に基づき構成するか、
の少なくとも何れかを実行することを特徴とする。
【００１２】
本発明の請求項８に係る情報授与システムは請求項７記載のもので、
前記整備手段は、複数の情報提供側装置から複数の前記情報を受け、
（１）前記記憶手段に前記情報を記憶させるか、または、
（２）前記記憶手段に前記情報に基づき記憶内容を更新させるか、
の少なくとも何れかを実行し、
前記作成手段は、前記複数の情報提供側装置から受けた複数の情報に基づき前記着目情報を、
（３）複数の情報提供側装置からの前記複数の情報を同一画面上に表示する構成とするか、または、
（４）複数の情報提供側装置からの前記複数の情報の比較に基づき構成するか、
の少なくとも何れかを実行することを特徴とする。
【００１３】
請求項２の情報授与方法および請求項８の情報授与システムによれば、複数の情報提供側装置から提供された複数の情報が、情報授与システムによって同一画面上に表示できる着目情報として構成され受理側装置への授与がなされる。または複数の情報提供側装置から提供された複数の情報が情報授与システムによって比較がなされ、比較に基づく着目情報が受理側装置へ授与される。
【００１４】
本発明の請求項３に係る情報授与方法は、請求項１または２に記載のもので、前記受理側装置から送付された、前記情報提供側装置に係る付加情報または前記情報提供側装置を司る情報提供側に係る付加情報を記憶する付加情報記憶過程を備え、
前記作成過程で、
（５）前記着目情報を前記付加情報に基づいて構成するか、または、
（６）前記着目情報を、複数の前記付加情報の対比に基づき構成するか、
の少なくとも何れかを実行することを特徴とする。
【００１５】
本発明の請求項９に係る情報授与システムは、請求項７または８に記載のもので、前記受理側装置から送付された、前記情報提供側装置に係る付加情報または前記情報提供側装置を司る情報提供側に係る付加情報を記憶する付加情報記憶手段を具備し、
前記作成手段は、
（５）前記着目情報を前記付加情報に基づいて構成するか、または、
（６）前記着目情報を、複数の前記付加情報の対比に基づき構成するか、
の少なくとも何れかを実行することを特徴とする。
【００１６】
請求項３の情報授受方法および請求項９の情報授受システムによれば、受理側装置が発した、情報提供側に係る付加情報または情報提供側装置に係る付加情報が情報授与システムによって記憶され、例えば他の受理側装置へ授与される。または受理側装置から送付された、複数の情報提供側または複数の情報提供側装置に係る複数の付加情報の対比に基づく着目情報が情報授与システムによって作成され、受理側装置へ授与される。
【００１７】
本発明の請求項４に係る情報授与方法は、請求項１、２または３の何れかに記載のもので、
前記要求情報が位置データを有して成り、
前記着目情報を前記位置情報に対応付けられた情報とすることを特徴とする。
【００１８】
本発明の請求項１０に係る情報授与システムは、請求項７、８または９の何れかに記載のもので、
前記要求情報が位置データを有して成り、
前記着目情報を前記位置情報に対応付けられた情報とすることを特徴とする。
【００１９】
請求項４の情報授受方法および請求項１０の情報授受システムによれば、受理側装置によって所望される着目情報が、受理側装置から送られた位置情報によって選択的に特定される。
【００２０】
本発明の請求項５に係る情報授与方法は、請求項１乃至４の何れかに記載のもので、前記着目情報の提供量に基づいて前記情報提供側装置への課金額の演算処理を実行する課金過程を備えたことを特徴とする。
【００２１】
本発明の請求項１１に係る情報授与システムは、請求項７乃至１０の何れかに記載のもので、前記着目情報の提供量に基づいて前記情報提供側装置への課金額の演算処理を実行する課金手段を具備することを特徴とする。
【００２２】
請求項５の情報授与方法および請求項１１の情報授与システムによれば、着目情報の提供量に応じて課金額の演算処理がなされることにより、提供量の状況を反映した課金額の演算がなされる。
【００２３】
本発明の請求項６に係る情報授与方法は、請求項１乃至５の何れかに記載のもので、前記要求情報の送付量または前記着目情報の送出量に基づいて前記受理側装置への課金額の演算処理を実行する課金決済過程を備えたことを特徴とする。
【００２４】
本発明の請求項１２に係る情報授与システムは、請求項７乃至１１の何れかに記載のもので、前記要求情報の送付量または前記着目情報の送出量に基づいて前記受理側装置への課金額の演算処理を実行する課金決済手段を具備することを特徴とする。
【００２５】
請求項６の情報授与方法および請求項１２の情報授与システムによれば、要求情報の送付量または着目情報の送出量に応じて課金額の演算処理がなされることにより、利用状況を反映した課金額の演算がなされる。
【００２６】
【発明の実施の形態】
以下、この発明の好適な実施形態を添付図を参照して詳細に説明する。なお、以下に述べる各実施形態はこの発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの概要や形態に限られるものではない。
【００２７】
実施形態を説明するに先立って、用語をその適用例にしたがい説明する。
「情報提供側」と「情報提供側装置」：情報提供側は、一例として広告情報などのサービス情報を提供する、一般的には店舗や業者であり、提供側と略記載されることもある。情報提供側はサービス情報を提供情報として情報授与側へ提供し、情報提供側装置は上記を実行する手段となる。
「情報授与システム」：複数の情報提供側から夫々の情報提供側装置を経て送られた提供情報を受けて記憶し、これらに基づき着目情報を作成して受理側装置へ授与するシステムがその一例あり、クライアント／サーバ・システム構成であればサーバ側を担う。
「受理側」と「受理側装置」：受理側は、一例として情報授与システムが供給する着目情報の授与サービスを受ける利用者であり、受理側装置は上記を実行する手段となる。クライアント／サーバ・システム構成であれば、受理側装置はクライアント側を担う。受理側装置は供給を所望する着目情報を指定するためのデータを、要求情報として情報授与システムへ送付する。これを受けた情報授与システムから該当する「コンテンツ情報」（後述）が着目情報として受理側装置へ送出される。
【００２８】
「位置」：実空間または仮想空間上の一地点を同定するもので、一例として受理側装置から位置データｐｄとして送付し、情報授与システムのデータベースで位置情報ｐとして処理する。「位置」は「コンテンツ情報」に関連付けられている。すなわち一つの「位置」には少なくとも一つの「コンテンツ情報」が対応している。
【００２９】
「コンテンツ情報」：コンテンツ情報はその一例として、音声付き「映像」、または「映像」、または音声、の少なくとも何れかを含むデータであり、さらにコンテンツ種類の特定データや表示制御コードを含めることもある。コンテンツ情報は一例として少なくとも上記の「位置」に関連付けられる。この場合、コンテンツ情報には少なくとも「位置」が一つ対応し、地点に対応付けがなされた情報となり、さらに当該地点における、広告情報を含めた広範な映像・音声データが含まれることもある。その代表的な適用用途は、該当地点に存在する店舗情報（動画撮影による探訪・紹介、現在のライブ映像、メニューなど）である。コンテンツ情報はその一例として、情報提供側から提供された提供情報または／および情報授与システムが作成した付加情報に基づき、前記要求情報に適合する内容が作成され、前記着目情報として受理側装置へ送出される。
【００３０】
「情報の集合」：一例としてデータベースに蓄積される等で纏まった情報の群であり、例えば提供情報を符号ｏｆで表記する場合、
「提供情報の集合ｓｅｔ＿ｏｆ」
のように表記される。
【００３１】
「呈示」：呈示には、画面表示、印字印刷、音声オーディオ奏鳴、外部へのデータ（信号）出力の少なくとも何れかが含まれている。
【００３２】
図１は本発明にかかる情報授与システムの一例と情報提供側装置および情報の受理側装置および通信機構の関係の一例を示すブロック図である。
本発明にかかる情報授与システムＳＶは、クライアント／サーバ・システムのサーバを担うものであり、図１に示されるように受理側装置（クライアント）ＣＬと通信機構ＮＴを介して接続され、ブロードバンド通信対応で構成される。さらに情報授与システムＳＶは、通信回線ＮＷを介して複数の情報提供側装置ＳＰｎに接続され、各情報提供側装置ＳＰから夫々の提供情報の提供を受ける。この結果、クライアント／サーバ／スポンサの３極構成となる。
【００３３】
情報授与システムＳＶは各情報提供側装置ＳＰから受けた提供情報および、独自に収集した情報を整備・管理し、受理側装置ＣＬからの要求に応じてこれら情報か、または加工して作成した付加価値情報を送出して授与する。
情報提供側装置ＳＰは情報授与システムＳＶに、提供情報の整備・管理・送出サービスの対価を支払う。或いは受理側装置ＣＬは情報授与システムＳＶに、情報授与サービスの対価を支払う。
【００３４】
以下、情報授与システムＳＶの構成を説明する。
図２は、図１に示された本発明に係る情報授与システムＳＶの一実施形態のブロック構成図である。
授与側である情報授与システムＳＶはデータベース部ＤＢを備えた、当該サービスのホストサーバとして機能するコンピュータシステムとして構成され、メインフレームコンピュータ、ワークステーション、パソコンの組合せ等のコンピュータシステムの適用により具現される。さらにイントラネットやＬＡＮによって接続された複数のコンピュータ機器で構成されるか、或いは物理的に同一のコンピュータ機器内に構築され、全体としてマルチプラットフォーム対応で構成される。従って図示されないプロセッサ（ＣＰＵ）、ＲＡＭ、ＲＯＭ等のメモリ、ブロードバンド（高速大容量）対応の通信インタフェースｉｆｓ、バス等の構成部分を備えるが、これらはブロードバンド通信対応の一般的なコンピュータシステムの構成部分であり、よって冗長と煩雑を排除するべく説明は省略される。
【００３５】
またデータベース部ＤＢは大記録容量の媒体を具備して大容量のコンテンツ情報Ｃｔｓの蓄積管理が可能に構成され、好適には例えば複数の磁気ディスク列（ディスクアレイ）で構成される大容量ＲＡＩＤシステム等で構成される。さらに補完的に着脱式磁気テープによるＶＴＲ（または複数のＶＴＲによる大記録容量システム）の適用も可能である。
【００３６】
情報授与システムＳＶは、夫々がソフトウエア・モジュールで構成された制御部０２００、情報整備部００２１、情報送出部００２２、認証・課金部００２３と、前記のデータベース部ＤＢを具備し、さらに当該情報授与システムＳＶへのデータ授受に介在する通信インタフェースｉｆｓ（図２参照）、不図示の電源部を備える。
【００３７】
情報整備部００２１は、図２に示されるように第１受取手段０２１１と情報整備手段０２１２によって構成され、情報送出部００２２は第２受取手段０２２１、処理手段０２２２、検索手段０２２３、情報加工手段０２２４、送出手段０２２５によって構成される。さらに認証・課金部００２３は、認証手段０２３０と課金決済手段０２３１と第１課金手段０２１０を具備する。
【００３８】
データベース部ＤＢは請求項７記載の、情報を記憶する記憶手段の一例である。或いはデータベース部ＤＢは請求項９記載の、受理側装置ＣＬから送付された、情報提供側装置ＳＰに係る付加情報またはこの情報提供側装置ＳＰを司る情報提供側に係る付加情報を記憶する付加情報記憶手段の一例である。
【００３９】
また第１受取手段０２１１および情報整備手段０２１２は請求項７記載の整備手段の一例であり、情報を情報提供側装置ＳＰから受け、データベース部ＤＢに記憶させるか、またはデータベース部ＤＢに当該情報に基づき記憶内容を更新させるという請求項１記載の整備過程か、または複数の情報提供側装置ＳＰｎから複数の情報を受け、データベース部ＤＢに、これらの情報を記憶させるか、またはこれらの情報に基づき記憶内容を更新させるという、請求項２記載の整備過程を実行する。
【００４０】
第２受取手段０２２１は請求項７記載の受取手段の一例であり、データベース部ＤＢに記憶した情報のうち任意の着目する情報を着目情報とし、この着目情報の送出を所望する受理側装置ＣＬから通信機構ＮＴを経由して送付された要求情報を受けるという、請求項１記載の受取過程を実行する。
【００４１】
処理手段０２２２と検索手段０２２３と情報加工手段０２２４は請求項７記載の作成手段の一例であり、記憶された情報に基づき要求情報に適合する着目情報を作成するという請求項１記載の作成過程か、または複数の情報提供側装置ＳＰｎから受けた複数の情報に基づき前記着目情報を、これら複数の情報を同一画面上に表示する構成とするか、またはこれら複数の情報の比較に基づき構成するという請求項２記載の作成過程か、または着目情報を前記付加情報に基づいて構成するか、または着目情報を、複数の前記付加情報の対比に基づき構成するという、請求項３記載の作成過程を実行する。
【００４２】
送出手段０２２５は請求項７記載の送出手段の一例であり、前記着目情報を、受理側装置ＣＬが受理して画面、または画面および音声により呈示可能な構成として受理側装置ＣＬへ通信機構ＮＴを経由して送出するという、請求項１記載の送出過程を実行する。
【００４３】
第１課金手段０２１０は請求項１１記載の課金手段の一例であり、着目情報の提供量に基づいて情報提供側装置ＳＰへの課金額の演算処理をするという、請求項５記載の課金過程を実行する。
課金決済手段０２３１は請求項１２記載の課金決済手段の一例であり、要求情報の送付量または着目情報の送出量に基づいて受理側装置ＣＬへの課金額の演算処理をするという、請求項６記載の課金決済過程を実行する。
【００４４】
以下、各手段及び各部を説明する。
第１受取手段０２１１：
第１受取手段０２１１は情報提供側装置ＳＰから通信回線ＮＷ経由で提供信号ＳＰａをリアルタイムまたは非リアルタイムで受けると、復号化、プロトコル処理等を施して提供データを復元し、提供側識別データＩｄを抽出し、提供セッションファイル（不図示）を参照して既登録の提供セッションであるかを確認し、未登録であれば情報提供側（以下、提供側と略記することがある）または情報提供側装置ＳＰの認証を委託する信号２３０ａを認証手段０２３０へ送り認証をうけ、認証ののち提供セッションファイルに新規にセッション登録をして、提供データを情報整備手段０２１２へ送る構成とされる。
提供信号ＳＰａは図６の項目ａに示される構成であり、よって復元された提供データにはそれぞれ提供側識別データＩｄ、提供側データｚｄ（業種データｊｒｄ、位置データｐｄ、紹介データｎｍｄから成る）、データパックｏｆｄが含まれる。
【００４５】
情報整備手段０２１２：
情報整備手段０２１２は、情報整備手段０２１２からデータを受けると、第１情報整備モードと認識し、データベース部ＤＢの検索基準情報部ＲＴｖへ提供側識別データＩｄ、業種データｊｒｄ、位置データｐｄ、紹介データｎｍｄ（情報提供側装置ＳＰの店名など）を送り、検索基準情報部ＲＴｖから返されたファイルアドレスａｄｒに基づいて、データベース部ＤＢの提供情報部ＯＦｖの当該情報提供側装置ＳＰのファイルＦｓｐ内の該当部をデータ種類により特定のうえ、既存ファイルの場合は内容を送られたデータ本体により更新するか、また新設ファイルの場合はデータ本体を新たに記入し、ついで第１課金手段０２１０へ信号２１０ａを送り当該情報提供側装置ＳＰへの課金額を演算させる構成とされる。
【００４６】
さらに情報整備手段０２１２は、処理手段０２２２からデータを受けると、第２情報整備モード、すなわちデータベース部ＤＢの付加情報部ＥＴｖの更新と認識し、付加データｅｔｄの内容から該当する情報提供側装置ＳＰを特定し、データｎｍｄとしてデータベース部ＤＢの検索基準情報部ＲＴｖへ送り、検索基準情報部ＲＴｖから返されたファイルアドレスａｄｒに基づいて、データベース部ＤＢの付加情報部ＥＴｖにある当該情報提供側装置ＳＰに係るファイル内の該当レコードを、送られた付加データの種類（評価点数、印象度合い、満足度、安定性など）により特定のうえ、送られた付加データｅｔｄを記入する構成とされる。
【００４７】
第１課金手段０２１０：
第１課金手段０２１０は情報整備手段０２１２から信号２１０ａを受けると、当該情報提供側または情報提供側装置ＳＰへの課金額の演算処理を実行する構成とされる。
【００４８】
認証手段０２３０：
認証手段０２３０は、第１受取手段０２１１から信号２３０ａを受けると、第１情報整備モードと認識して、載せられた提供側識別データＩｄに基づき不図示の一覧表を参照して提供側認証し、結果通知を第１受取手段０２１１へ返送し、また第２受取手段０２２１から信号２３０ｂを受けると、情報送出モードと認識して、載せられた受理側識別データｉｄに基づき不図示の一覧表を参照して受理側認証し、結果通知を第２受取手段０２２１へ返送するよう構成される。
【００４９】
第２受取手段０２２１：
第２受取手段０２２１は第２情報整備モードおよび情報送出モードにおいて動作し、受理側装置ＣＬから通信機構ＮＴを介して送付されてくる要求信号ＣＬａ受取り、データ伸張して要求データを復元可能に構成される。
【００５０】
ついで復元した要求データに付加データｅｔｄがあれば、第２情報整備モードであると認識し、受理側識別データｉｄを抽出し、正当な受理側または受理側装置ＣＬの認証委託と識別データを載せた信号２３０ｂを認証手段０２３０へ送り、正当な受理側または受理側装置ＣＬであれば付加データｅｔｄを処理手段０２２２へ送る構成とされる。
一方、復元した要求データに位置データｐｄ、業種データｊｒｄ、サービス種類データｓｒｄを検出すると、情報送出モードであると認識し、受理側識別データｉｄを抽出し、セッション継続中であれば記憶されている現在のサービスセッションと対照して確認し、セッション継続中でなければ認証手段０２３０へ認証委託ののち、新規にサービスセッション登録をして、位置データｐｄ、業種データｊｒｄ、サービス種類データｓｒｄを処理手段０２２２へ送る構成とされる。サービスセッション登録は受理側識別データｉｄと、必要に応じてサービス種類情報ｓｒｄを不図示のテンポラリ・メモリへ暫定記憶することで為される。
【００５１】
処理手段０２２２：
処理手段０２２２は第２情報整備モードおよび情報送出モードにおいて動作し、第２受取手段０２２１から受取ったデータが付加データｅｔｄであると第２情報整備モードと認識し、付加データｅｔｄを信号２２２ａとして情報整備手段０２１２へ入力する構成とされる。
一方、第２受取手段０２２１から受けたデータに位置データｐｄ、業種データｊｒｄ、サービス種類データｓｒｄを検出すると、情報送出モードであると認識し、データフォーマットの妥当性の検査と、データベースＤＢに蓄積されサービス可能な領域内にあるかの検査をし、検査結果が妥当であると、位置データｐｄ、業種データｊｒｄ、サービス種類データｓｒｄを検索手段０２２３へ送る構成とされる。
【００５２】
検索手段０２２３：
検索手段０２２３は情報送出モードにおいて動作し、ＤＢＭＳ機能を利用したデータベース部ＤＢの検索を実行するものであり、処理手段０２２２から送られた位置データｐｄ、業種データｊｒｄ、サービス種類データｓｒｄに基づきデータベース部ＤＢを検索し、適合した提供情報ｏｆまたは／および付加情報ｅｔとサービス種類データｓｒｄを情報加工手段０２２４へ送る構成とされる。
【００５３】
データベース部ＤＢ：
図３はデータベースＤＢの概要説明図である。データベース部ＤＢには、検索基準情報の集合ｓｅｔ＿Ｅから成る検索基準情報部ＲＴｖと、提供情報ｏｆの集合ｓｅｔ＿ｏｆから成る提供情報部ＯＦｖと、付加情報ｅｔの集合ｓｅｔ＿ｅｔから成る付加情報部ＥＴｖが具備され、情報整備手段０２１２によって書込／書換更新可能に構成され、また検索手段０２２３によってアクセス可能に構成される。データベース部ＤＢは例えば前述の大容量ＲＡＩＤシステムとして構成される。
【００５４】
「検索データ」として入力される業種データｊｒｄは、予め準備された業種リストから該当するものを検索するためのデータである。同様に位置データｐｄは、受理側装置ＣＬが現在地点や現在位置、または着目する地点や位置を特定するデータである。これら検索データ（上記例では業種データｊｒｄおよび位置データｐｄ）は、データベース検索処理において「検索基準情報」（上記例では業種情報ｊｒおよび位置情報ｐ）と対応付けられる。
検索基準情報は検索基準情報部ＲＴｖに収録されており、検索基準情報の集合ｓｅｔ＿Ｅ（図１参照）を形成している。
【００５５】
さらに「検索対象」となる提供情報ｏｆが情報提供側装置ＳＰ毎のファイルとして提供情報部ＯＦｖに収録され、提供情報の集合ｓｅｔ＿ｏｆを形成している。当該集合の元である各提供情報ｏｆには少なくとも１個の検索基準情報（上記例では業種情報ｊｒおよび位置情報ｐ）が対応している。
図３で、所望された位置の範囲を規定する位置情報ｐ３〜ｐ９と、所望された業種情報に該当する業種情報ｊｒ６が、検索基準情報として選択されると、ついで位置情報ｐ３〜ｐ９の張る提供情報のサブセットと業種情報ｊｒ６の張る提供情報のサブセットのインターセクションに対応している提供情報が、検索結果として確定する。この提供情報ｏｆが、所望された位置の範囲ｐ３〜ｐ９および業種情報ｊｒ６に対応する提供情報ｏｆとしてデータベース部ＤＢから出力される。
【００５６】
検索基準情報部ＲＴｖは、第１情報整備モードにおいて、業種データｊｒｄの業種に対応する「位置」対「店」のリストを参照し、提供側識別データＩｄと紹介データｎｍｄに基づき該当する店（提供側）があれば当該店のファイルＦｓｐのアドレスを確認し、該当する店がリストになければ新しいファイル領域を確保し、リストに追加のうえ、そのファイルアドレスａｄｒを情報整備手段０２１２へ返す構成とされる。これにより新規登録された情報提供側装置ＳＰにはデータベース部ＤＢの提供情報部ＯＦｖにファイルＦｓｐが割り当てられる。
【００５７】
検索基準情報部ＲＴｖは、第２情報整備モードにおいて、業種データの業種に対応する「提供側（店）」のリストを検索し、付加情報部ＥＴｖに在る該当する情報提供側装置ＳＰのファイルアドレスａｄｒを確認して情報整備手段０２１２へ返す構成とされる。
【００５８】
検索基準情報部ＲＴｖは、情報送出モードにおいて、位置データｐｄ、業種データｊｒｄ、サービス種類データｓｒｄに基づき適合した提供情報ｏｆまたは／および付加情報ｅｔのファイルアドレスを確定する構成とされる。
【００５９】
情報加工手段０２２４：
情報加工手段０２２４は情報送出モードにおいて動作し、検索手段０２２３から送られた提供情報ｏｆまたは／および付加情報ｅｔとサービス種類データｓｒｄを受けると、サービス種類データｓｒｄに指定されたサービス種類に基づき、提供情報ｏｆまたは／および付加情報ｅｔに以下の少なくとも何れかの情報加工を施す構成とされる。
（１）複数の情報提供側装置ＳＰｎのリアルタイムの提供情報ｏｆを同一画面に表示させる加工。
（２）着目位置からの距離に基づき段階表示させる階層加工。
（３）特定の評価基準に基づき順位に従う表示をさせる順位加工。
情報加工したコンテンツ情報Ｃｔｓを、ついでデータ圧縮し、また形式を調整し、ついで現在登録され記憶されたサービスセッションデータから受理側識別データｉｄを読み込み、受理側識別データｉｄとコンテンツ情報Ｃｔｓから成る送出データを送出手段０２２５へ送る構成とされる。データ圧縮処理は例えばライブ映像データではＭＰＥＧ４等が、また静的データではＪＰＥＧ準拠のアルゴリズム等をはじめ、他の任意のアルゴリズムが適用される。
【００６０】
送出データは図６の項目ｄに示される、受理側識別データｉｄと提供情報塔載のコンテンツ情報Ｃｔｓの組合せか、項目ｅに示される、受理側識別データｉｄと付加情報塔載のコンテンツ情報Ｃｔｓの組合せであり、さらにこれらの組合せの送出データも可能である。
【００６１】
さらに、コンテンツ情報Ｃｔｓに画像処理を施す、編集機能を具備させることもある。前記検索手段０２２３において逐次的に複数の情報が生じ、これら複数の情報に逐次的にリアルタイムで画像処理を施す。
【００６２】
またインターネット機構経由でのサービスの場合は、送出データをＨＴＭＬコンテンツに編成するか、さらにＷＡＰ対応の場合は送出データをＷＭＬコンテンツまたはＸＨＴＭＬコンテンツに編成する構成とされる。
【００６３】
ここでコンテンツ情報Ｃｔｓにつき解説する。
コンテンツ情報Ｃｔｓは情報加工手段０２２４によって整備または／および加工され、情報授与システムＳＶから受理側装置ＣＬへ送出されるが、このコンテンツ情報Ｃｔｓには以下の３種類があり、少なくとも何れかが送出される。
（１）情報提供側装置ＳＰから提供された提供情報。
（２）受理側装置ＣＬから収集した付加情報。
（３）情報授与システムＳＶが加工した付加情報。
提供情報を塔載したコンテンツ情報Ｃｔｓは図６の項目ｄで示され、付加情報を塔載したコンテンツ情報Ｃｔｓ図６の項目ｅで示され、ともに、
（ａ）コンテンツ種類を示すデータと、
（ｂ）コンテンツデータと、
（ｃ）表示制御コードと、
から構成される。
【００６４】
コンテンツデータは例えば音声付きライブ映像データ、メニュー・価格表データ、現在の空席状況データなどであり、情報提供側装置ＳＰが提供するデータパックｏｆｄ（図６の項目ａ参照）に基づいている。とりわけライブデータは情報提供側装置ＳＰがリアルタイムでデータパックｏｆｄを提供する。さらに複数の情報提供側装置ＳＰｎ（ｎ＝１、２、‥）のデータパックｏｆｄを纏めたコンテンツデータとして構成されることもある。これは数軒の店舗のライブ映像を同一画面上に並行表示可能に構成したもので、ＷＭＬ（ワイヤレス・マークアップ・ランゲージ：またはその拡張）等で記載され、同一画面上に出現した数個のサブウィンドウのそれぞれに、各店舗のライブ映像がコンカレントに表示される。なおこの構成が、前以て情報授与システムＳＶの側で１枚のフレーム画像に合成して送出する場合と異なるのは、サブウィンドウの制御が受理側装置ＣＬにおいて可能となることであり、例えば数個のウインドウの中で着目する１個のサブウインドウのライブ映像を利用者所望によりフルスクリーン拡大させることや、或るサブウインドウのライブ映像をバックグラウンド待機の他店のライブに置換する等の制御が容易に可能となる。
【００６５】
上記はコンテンツデータが１種類で多系統を載せる例であったが、さらにコンテンツデータには複数種類のものが混載されることもある。上記の例では音声付きライブ映像データとメニュー・価格表データとが混載される。
【００６６】
コンテンツ種類を示すデータは、上記コンテンツデータの種類を示すもので、例えばライブ映像であることや、表データであることが受理側装置ＣＬのブラウザに通知される。両方が混載されている際には、複数の種類が示される。
【００６７】
また表示制御コードは、とりわけ上記の複数種類のコンテンツデータが混載されている場合の、画面表示時の表示動作を制御するものであり、例えば時間経過にともない交互に表示させる指示や、また階層構成としておき、利用者が画面上でプルダウン・メニューで選択させることで該当するものを表示させる指示を、受理側装置ＣＬのブラウザに付与するためのものである。また上記コンテンツデータの表示の形式等を受理側装置ＣＬのブラウザに通知する。
【００６８】
つぎに付加情報を塔載したコンテンツ情報Ｃｔｓのコンテンツデータには例えば当該店舗の顧客が採点した評価データがある。さらに、同業他店との価格ランクに係る順位データなど、情報授与システムＳＶが独自に収集して情報加工した付加価値情報をデータとして受理側装置ＣＬに提供できる。こうした付加情報は情報提供側装置ＳＰから提供されるものではなく、情報授与システムＳＶが日頃、サービスを利用した顧客から情報を収集して保持管理し、または／および情報加工することによって可能となる。
【００６９】
なお上記の種々の構成の何れに拠るか、また情報授与システムＳＶ側と受理側装置ＣＬとの機能配分はトレードオフの関係にあり、両者の構成にも当然反映されるが、本発明はその上位概念として諸ケースを網羅することは上記からも明らかである。
【００７０】
再び各手段の説明に戻る。
送出手段０２２５：
送出手段０２２５は、情報送出モードにおいて動作し、情報加工手段０２２４から送出データの送付を受けると、受理側装置ＣＬへの課金額演算をする場合は課金決済手段０２３１と信号２３１ｂの授受で処理し、ついで送出データに基づきセキュリティ処理、プロトコル調整等の加工により送出信号ＳＶａを作成して通信機構ＮＴへ送出する処理を実行する構成とされる。送出信号ＳＶａは図６の項目ｆに示されるように、受理側識別データｉｄとコンテンツ情報Ｃｔｓで構成される。
プロトコル調整は、送出データがＨＴＭＬコンテンツであればインターネット機構経由での伝送と認識してＨＴＴＰレスポンスに調整し、さらにＷＭＬコンテンツまたはＸＨＴＭＬコンテンツであればＷＡＰ対応の伝送と認識してＷＳＰレスポンスに調整する。
【００７１】
課金決済手段０２３１：
課金決済手段０２３１は情報送出モードにおいて動作し、送出手段０２２５から信号２３１ｂが入ると、不図示の課金表を参照し、受理側識別データｉｄに基づき受理側または受理側装置ＣＬへの課金額の演算処理をし、演算処理結果の通知を送出手段０２２５へ返送するよう構成される。ここで課金額を原則的に送出されるデータ（前記着目情報）の種類や質または／およびデータ量に比例して算出するものとし、送出部０２２５や他の手段から送出したデータ量の情報を得る構成とすることもできる。
課金表は不図示のフラッシュメモリや磁気ディスク媒体などの記憶手段に記憶された課金単価データを載せる。課金単価はデータの種類、従量に基づき設定されている。課金決済手段０２３１は例えば送出データの種類と量に基づき上記記憶手段中の課金単価データから該当する課金単価を選択し、この選択された課金単価および送出データ量に基づき課金額を演算する。
さらに上記の課金額の演算処理に加え、請求書発行処理や、口座引落しによる決済処理等の少なくとも何れかを課金処理として、課金決済手段０２３１が当該課金処理を実行する構成にできる。
【００７２】
また上記のような、課金決済手段０２３１が送出手段０２２５からのコマンドにより作動して、結果通知を送出手段０２２５へ返送する構成は、サービスデータのクライアント側への送出時または直後に課金額を決定する方式（所謂、出口課金）であるが、これに代えてクライアント側から前記要求情報を受取った時点で要求情報の送付量に基づき課金額を決定する方式（所謂、入口課金）とすることもできる。さらに入口／出口課金方式を問わず、サービスセッションの途中で随時課金額を決定する構成や、サービスセッションの終了時に一括して課金額を決定する総課金（出口課金方式に適合）の構成が可能である。
【００７３】
また上記課金額の演算を含む課金処理を送出信号ＳＶａの送出の度に実行するか、或いは送出した送出信号ＳＶａの数を送出手段０２２５などでカウンタに累積し、所定の数に達した時点で従量課金処理するよう構成することもできる。
【００７４】
また課金額の設定を、段階的に単価設定することも可能である。例えば提供情報や付加情報を、或る位置（地点）を基点として定めた距離の範囲内にあるものに限定して提供する場合に、距離に比例して課金額を決めることや、距離に応じて段階的に単価設定することが可能である。さらに付加情報につき、その情報の量のみならず深度に基づいて単価設定することも可能である。
【００７５】
ところでサービス利用料金の課金額演算を含めた課金処理については、当該受理側装置ＣＬの機器の登録利用者（ｉｄ管理部０１１３に利用者データ登録が為されている）に課金する場合と、利用者データ登録をしていない、識別情報を入力した暫定利用者に課金する場合とがある。一般的には前者の機器登録利用者課金とするが、後者の課金をする場合にはサービス要求データｓｒｄに当該暫定利用者の識別情報を入力させる構成とすることもできる。
【００７６】
制御部０２００：
制御部０２００はこの情報授与システムＳＶ全体の動作制御を司り、起動・停止を含めた動作を制御する。各部及び各手段の状態をセンスし、これらに不図示の制御信号を発行する構成とされる。
【００７７】
通信回線ＮＷおよび通信機構ＮＴ：
通信回線ＮＷはブロードバンド対応のデータ伝送専用回線であり、各情報提供側装置ＳＰｎ（ｎ＝１、２、‥）と情報授与システムＳＶを接続する。
通信機構ＮＴは、ブロードバンド対応の双方向データ伝送回線を具備するネットワークで、情報授与システムＳＶと各受理側装置ＣＬを接続し、有線または／および無線伝送対応のインターネット機構などが適用される。
【００７８】
ここで情報授与システムＳＶの構成につき追記すると、複数のサーバから構成する場合にＳＡＮ（Ｓｔｏｒａｇｅ　Ａｒｅａ　Ｎｅｔｗｏｒｋ）の適用による処理の効率化を図ることが好ましい。
ストレージ・エリア・ネットワークは複数のサーバで記憶装置を共用するネットワークの運用形態であり、複数のサーバを擁するＬＡＮにおいて、各サーバが備えるハードディスクを切り離してＲＡＩＤシステムに統合し、各サーバとＲＡＩＤシステムをファイバーチャネルなどを使った別の高速ネットワーク回線で接続し、サーバ間でデータを共有する構成とする。これにより大容量データの共有、複数のサーバによる連携処理の処理効率向上、サーバ間のデータ授受をＬＡＮから切り離すことによる、サーバ・クライアント間のネットワーク負荷軽減といった利点を具現できる。
上記に加えさらに、特定の部分へ集中するデータ処理負荷や回線負荷を下げるべく、広域負荷分散構成とすることが好ましい。また不特定多数のクライアントからオンデマンド・ベースで要求データが到着するので、課金額演算を含む課金処理のための手段として課金プロキシサーバ構成が好ましい。
【００７９】
つぎに受理側装置ＣＬの構成を説明する。
図５は、図１に示された受理側装置ＣＬの一例のブロック構成図である。
受理側装置ＣＬは、モバイル機器である移動通信機器例えば携帯電話機や車載電話機やＰＤＡ、または／および定位置設置のパソコンやワークステーション、ゲーム機器を含む無線／有線通信機能を具備するコンピュータ構成の機器であり、コマンドデータやビデオデータを伝送するためのバス、演算処理実行に関わる演算処理装置ＣＰＵ（Ｃｅｎｔｒａｌ　Ｐｒｏｃｅｓｓｉｎｇ　Ｕｎｉｔ）、デイスプレイに表示されるビデオデータやＧＵＩのためのグラフイツク表示を管理する呈示コントローラ、通信機構ＮＴとのデータ授受にかかる通信インタフェース、キーボードやマウス及びペン・タブレツト等のポインテイングデバイスからの入力データの処理に関わる入力デバイスインターフエイスや外部インターフエイスを有し、さらにオペレーテイングシステムやブラウザをはじめ一部のアプリケーシヨン・ソフトウエアが格納されている読み出し専用記憶装置ＲＯＭ（Ｒｅａｄ　Ｏｎｌｙ　Ｍｅｍｏｒｙ）または／およびハード磁気ディスク装置等のデータ記録装置と、アツプロードされたアプリケーシヨン・ソフトウエアやＣＰＵの実行過程で発生するデータを暫定格納する読み書き可能な記憶装置ＲＡＭ（Ｒａｎｄｏｍ　Ａｃｃｅｓｓ　Ｍｅｍｏｒｙ）などを具備するが、これらは一般的なコンピュータ構成であり、よって冗長と煩雑を避けるべく詳細説明は割愛される。
【００８０】
受理側装置ＣＬは、図５に示されるように位置データｐｄを入力する位置データ提供手段０１０１、ジャンルデータｊｒｄを入力するジャンルデータ入力手段０１０２、意見データｅｔｄを入力する意見データ入力手段０１０４、サービス要求データｓｒｄを入力するサービス要求入力手段０１０５の、入力データ発生に関与する手段（まとめて図１の発生グループ０１００を構成する）に加え、取込手段０１１２および編成手段０１１４および送付手段０１１５（まとめて図１の要求データ編成・送付部０１１２を構成する）、ｉｄ管理部０１１３、受理手段０１２１および呈示装置０１２２（まとめて図１のデータ受理・呈示部０１１５を構成する）、制御部Ｃｎｔ、通信インタフェースｉｆｃ、電源部Ｐｗを具備する。
【００８１】
電源部Ｐｗは電灯線電源または電池電源であり、とりわけ携帯型無線機器の場合は充電式電源としてリチウムポリマー電池やリチウムイオン電池などの電池が主電源として装備される。
制御部Ｃｎｔ、要求データ編成・送付部０１１２、ｉｄ管理部０１１３、およびデータ受理・呈示部０１１５の一部分は前記演算処理装置ＣＰＵによって読取り実行可能なコンピュータプログラム（ソフトウエア・モジュール）として具現され、ＲＯＭまたは／およびハード磁気ディスク装置等に格納される。
【００８２】
以下、各手段を順に説明する。
位置データ提供手段０１０１：
位置データ提供手段０１０１は受理側装置ＣＬが現在位置する地点のデータか、または所望する任意の地点のデータを得て、これを位置データｐｄとして後段へ提供する手段であり、現在地点データ提供の場合は、全地球測位システムであるＧＰＳ受信機やＤＧＰＳ受信機、ＰＨＳによる測位システム、モバイル通信システムを利用した測位サービスの受信機などの測位装置と関連ソフトウエア・モジュールにより具現され、測定値である測位データｇが後段へ提供される。一方、現在地点に限定されず任意の地点データ提供の場合は、利用者が操作容易なボタンやキー、パッドなど一般的な手動入力機器と関連ソフトウエア・モジュールにより具現されている。
位置データｐｄは、２次元座標値（緯度、経度）または３次元座標値（緯度、経度、高度）で形成され、取込手段０２０２へ提供される。
【００８３】
サービス要求入力手段０１０５：
サービス要求入力手段０１０５は、利用者がこのサービス開始を情報授与システムＳＶへ要求するときに、サービス要求データｓｒｄを入力する手段であり、ボタンやキー、パッドなど一般的な入力機器により構成されている。
サービス要求データｓｒｄには、少なくとも利用者が所望するサービス種別のデータが搭載される。ここでサービス種別には、所望する情報授与システムＳＶの指定、所望するコンテンツ情報の種類をはじめ、使用する通信回線の種類やプロバイダ（インターネット利用の場合）の情報などが含まれる。
【００８４】
サービス要求データｓｒｄは要求データ編成・送付部００１１の取込手段０１１２へ入力される。またサービスの進行中に利用者の操作でサービス要求データｓｒｄが発生すると、それまでのサービスセッションはここで終了し、新たなサービスセッションの開始処理への移行がなされる。
【００８５】
取込手段０２０２：
取込手段０２０２は、サービス要求データｓｒｄや位置データｐｄ、ジャンルデータｊｒｄ、意見データｅｔｄの取込が可能に構成され、受けたデータがサービス要求入力手段０１０５から入力されたデータであることを確認すると、サービス開始を認識し、このデータをサービス要求データｓｒｄとして直ちに取込み、内容確認のうえメモリ（不図示）に記憶する。ついで位置データｐｄとジャンルデータｊｒｄ、または意見データｅｔｄを取り込み、これらデータと記録しているサービス要求データｓｒｄとを載せた信号１１２ａを作成して編成手段０１１４へ送る。
【００８６】
ｉｄ管理部０１１３：
ｉｄ管理部０１１３は、利用側の識別データｉｄを管理し、編成手段０１１４からの指示に基づき識別データｉｄを編成手段０１１４へ入力する構成とされる。
識別データｉｄには、
（１）登録した利用者データ、
（２）受理側装置ＣＬのリソース情報、
が塔載される。リソース情報には、受理側装置ＣＬを形成する機器の種別・仕様データ、機器・製品番号等がある。
【００８７】
編成手段０１１４：
編成手段０１１４は取込手段０１１２から送られた信号１１２ａに載ったデータと、ｉｄ管理部０１１３を参照して得た識別データｉｄ等に基づき要求データを編成し、信号１１４ａとして送付手段０１１５へ送る。
【００８８】
送付手段０１１５：
送付手段０１１５は編成手段０１１４から送られた信号１１４ａに基づき、暗号化・セキュリティ処理およびプロトコル調整を施して要求信号ＣＬａを作成し、通信インタフェースｉｆｃ経由で通信機構ＮＴへ送付する。通信機構ＮＴはこれを情報授与システムＳＶへ伝送する構成とされる。
【００８９】
受理手段０１２１：
受理手段０１２１は情報授与システムＳＶから通信機構ＮＴによって伝送された送出信号ＳＶａを通信インタフェースｉｆｃ経由で受ける。送出信号ＳＶａのデータ構成の一例が図７の項目（ｅ）に示される。
【００９０】
送出信号ＳＶａには、受理側識別データｉｄ、コンテンツ情報Ｃｔｓが塔載される。コンテンツ情報Ｃｔｓには前述したように、提供情報ｏｆが塔載されたコンテンツ情報Ｃｔｓと、付加情報ｅｔが塔載されたコンテンツ情報Ｃｔｓの２種類があり、いずれもコンテンツデータと、コンテンツ種類（ライブデータか静的データか）を示すデータと、表示制御コードが含まれる。
【００９１】
受理手段０１２１は送出信号ＳＶａにプロトコル処理等を施して送出データを復元し、受理側識別データｉｄを照合して受理する。ついでコンテンツ情報Ｃｔｓから抽出したコンテンツデータにＭＰＥＧ４デコーダやＪＰＥＧデコーダ等によるデータ伸張処理を施し、提供情報ｏｆまたは／および付加情報ｅｔ、種類データ、さらに表示制御コードを復元すると、これらを含む受理データを作成して呈示装置０１２２へ供給する構成とされる。
なお受理手段０１２１は好ましくは、当該サービスがインターネット機構利用で且つＷＡＰ準拠とされる場合に対応させてＷＡＰブラウジング機能を具備する構成とされる。この場合、送出信号ＳＶａはＷＳＰレスポンス（ＷＭＬコンテンツ塔載）として受理される。
【００９２】
呈示装置０１２２：
データ受理部０１１５の呈示装置０１２２は、受理手段０１２１から供給された受理データを受けて、種類データに基づき情報が提供情報ｏｆまたは／及び付加情報ｅｔであるかを確認し、ついで表示制御コードに基づき、提供情報ｏｆまたは／及び付加情報ｅｔを呈示（画面表示・音声奏鳴）する。
表示制御コードにより、複数の情報提供側装置ＳＰｎがリアルタイムで発信している複数の提供情報ｏｆを同一画面に表示させる。また着目位置からの距離に応じて提供情報ｏｆまたは／及び付加情報ｅｔを段階表示させる。このとき画面に地図を表示し、着目位置および距離の範囲を地図上に表示することや、この地図上に複数の情報提供側装置ＳＰｎの看板を表示可能に構成される。
さらには特定の評価基準に基づき順位に従う表示をさせる等の、種々の呈示が可能な機能を備えて構成されている。
【００９３】
また上記の構成は、受理側装置ＣＬが現在の地点を送ることにより、その地点を中心とした例えば半径数百メートル以内の該当店舗につき、それら複数の店舗のライブ映像を同一画面に並行的に表示して、受理側装置ＣＬの利用者が着目する店舗のウインドウをクリックすることで、２次元地図や３次元地図上にこの店舗の位置を表示してナビゲーションを可能にするが、このような表示に代えて、該当店舗を２次元地図や３次元地図上に、広告旗や看板として表示し、利用者がそれらを選択してクリックすることにより、所望の店舗の情報を画面表示または／および音声呈示させる構成とすることもできる。この場合、道路上に存在する看板がネットワーク上の広告主となりうる。
【００９４】
情報提供側装置ＳＰ：
情報提供側装置ＳＰはメインフレーム・コンピュータ、ワークステーション、パソコン、ビデオカメラ等で構成され、この情報提供側装置ＳＰを識別する提供側識別データＩｄ、この情報提供側装置ＳＰのプロファイルを示す提供側データｚｄ、提供情報を載せたデータパックｏｆｄから成る提供データに基づき、図６の項目ａに示される提供信号ＳＰａを編成して通信回線ＮＷ経由で情報授与システムＳＶへ提供する構成とされる。ここで提供側データｚｄには業種データｊｒｄ、位置データｐｄ、紹介データｎｍｄが含まれ、データパックｏｆｄに作成したライブ映像データや表データ、静止画データ等を載せて提供する。データパックｏｆｄには提供情報本体と、その種類の同定データが含まれる。
【００９５】
つぎに動作を説明する。
情報授与システムＳＶは、第１情報整備モード、第２情報整備モード、情報送出モードの３モードで動作する。
第１情報整備モードでは情報授与システムＳＶが情報提供側装置ＳＰから提供情報を受けて情報整備する。
第２情報整備モードでは情報授与システムＳＶが受理側装置ＣＬから付加情報を受けて情報整備する。
情報送出モードでは情報授与システムＳＶが受理側装置ＣＬから要求を受けて、提供情報または／および付加情報を着目情報として受理側装置ＣＬへ送出して授与する。或いは情報加工した結果の付加情報を着目情報として受理側装置ＣＬへ送出して授与する。
情報提供側装置ＳＰは第１情報整備モードで動作し、受理側装置ＣＬは第２情報整備モードおよび情報送出モードで動作する。以下、添付の動作フローチャートを参照して各モードでの動作を説明する。
【００９６】
第１情報整備モードの動作：
図８および図９は、情報授与システムＳＶの第１情報整備モードの動作フローチャートであり、情報提供側装置ＳＰからリアルタイムまたは非リアルタイムで提供された提供情報を取り入れて情報整備を実行し、データベース部ＤＢの提供情報部ＯＦｖに記録する。
【００９７】
図８に示すように、複数の情報提供側装置ＳＰｎ（ｎ＝１、２、‥‥）の各々は、それぞれ提供側識別データＩｄ、提供側データｚｄ（業種、位置、紹介）、データパックｏｆｄ（データの種類、データ本体）を載せた提供データを編成し、これに暗号化やプロトコル調整等を施した提供信号ＳＰａを通信回線ＮＷ経由で情報授与システムＳＶへ送付する（ステップＳ０１．２．０１）。
【００９８】
情報授与システムＳＶの第１受取手段０２１１は届いた提供信号ＳＰａに復号化、プロトコル処理等を施し、提供データを復元して提供側識別データＩｄを抽出する（ステップＳ０１．２．０２）。ついで提供セッションファイル（不図示）を参照して既登録の提供セッションであるかを確認し（ステップＳ０１．２．０３）、既登録であればステップＳ０１．２．０８へ進み、既登録でなければ、正当な提供側の認証委託と提供側識別データを載せた双方向信号２３０ａを認証手段０２３０へ送る（ステップＳ０１．２．０４）。認証手段０２３０は正当な情報提供側装置ＳＰであるかの確認をして（ステップＳ０１．２．０５）、正当な情報提供側装置ＳＰでなければステップＳ０１．２．０６へ進みエラーとしてこの提供信号ＳＰａをアバンダンする。
【００９９】
正当な情報提供側装置ＳＰであれば、第１受取手段０２１１は提供セッションファイルに新規にセッション登録をする（ステップＳ０１．２．０７）。登録された情報提供側装置ＳＰにはデータベース部ＤＢの提供情報部ＯＦｖにファイルＦｓｐが割り当てられることになる。
【０１００】
ついでステップＳ０１．２．０８で第１受取手段０２１１は復元した提供側識別データＩｄと提供側データｚｄとデータパックｏｆｄを情報整備手段０２１２へ送る。情報整備手段０２１２はデータベース部ＤＢの検索基準情報部ＲＴｖへ提供側識別データＩｄ、業種データｊｒｄ、位置データｐｄ、紹介データｎｍｄ（情報提供側装置ＳＰの店名など）を送る（ステップＳ０１．２．０９）。
【０１０１】
図９で検索基準情報部ＲＴｖは、業種データｊｒｄの業種に対応する「位置」対「店」のリストを参照し、提供側識別データＩｄと紹介データｎｍｄに基づき該当する店（提供側）があれば当該店のファイルＦｓｐのアドレスを確認し、該当する店がリストになければ新しいファイル領域を確保し、リストに追加のうえ、そのファイルアドレスａｄｒを情報整備手段０２１２へ返す（ステップＳ０１．２．１０）。ついで情報整備手段０２１２はファイルアドレスａｄｒに基づいて、データベース部ＤＢの提供情報部ＯＦｖの当該情報提供側装置ＳＰのファイルＦｓｐ内の該当部をデータ種類により特定のうえ、既存ファイルの場合は内容を送られたデータ本体により更新する。また新設ファイルの場合はデータ本体を新たに記入する（ステップＳ０１．２．１１）。
【０１０２】
こののち情報整備手段０２１２は第１課金手段０２１０へ信号２１０ａを送り、当該提供側へ課金する（ステップＳ０１．２．１２）。提供情報が広告情報のとき、情報提供側装置ＳＰから情報授与システムＳＶへ広告登録（掲載）料金がここで支払われる。
課金処理が正常に実行されたことを確認後、ついで制御部０２００は第１情報整備モードの継続／停止を決定し（ステップＳ０１．２．１３）、継続であればステップＳ０１．２．０１へ復帰させて上記処理を反復し、停止であればこの第１情報整備モードを了える。
【０１０３】
上記のようにして情報授与システムＳＶは各情報提供側装置ＳＰが提供した提供情報をデータベース部ＤＢの提供情報部ＯＦｖの該当ファイルＦｓｐへ記録して管理する。提供情報が店内のライブ映像であれば、データパックｏｆｄにライブ映像データ本体が載り、リアルタイムで情報授与システムＳＶへ流れ込むが、これを蓄積保存する必要がない場合は常に最新の１画像フレームデータのみを維持するようにし、このフレームデータを常時更新する。このフレームデータは後述の情報送出モードで利用され、ライブ映像を受理側装置ＣＬへ送出する際にはリアルタイムで常時更新送出される。
【０１０４】
また提供情報が店舗の紹介データやメニュー表などの、常時更新がなされないスタティック（静的）データであり、したがって上記のライブデータでない際には、全データを提供情報部ＯＦｖのファイルＦｓｐへ記録して蓄積管理する。ライブデータかスタティックデータであるかは、データパックｏｆｄ内のデータの種類を参照して確認できる。
さらに提供側データｚｄが載せた業種データｊｒｄにより業種分類でき、位置データｐｄによりその情報提供側装置ＳＰ（例えば店舗）のある地域が特定でき、紹介データｎｍｄにより店舗名や関連データの整理がなされる。これにより検索基準情報部ＲＴｖの内蔵テーブルの整備がなされる。
【０１０５】
第１情報整備モードによる利点・効用：
上記のように第１情報整備モードは、広告主となる複数の情報提供側装置ＳＰｎのそれぞれがリアルタイムまたは非リアルタイムで提供情報を配信サーバである情報授与システムＳＶへ送ることによって、例えば夫々の情報提供側装置ＳＰ（店舗）の現在の込み具合状況を動画のライブ映像信号として情報授与システムＳＶへ提供できる。したがって各情報提供側装置ＳＰでは夫々の提供情報の内容を時間、状況に応じて変更・更新するための操作が容易になり、生データを配信サーバへ送付するのみで極めて円滑に情報整備がなされ、また情報授与システムＳＶがスケールメリットを活用して高度な情報整備を低廉かつ効率的に実行できる結果、夫々の店舗（情報提供側装置ＳＰ）は情報整備コストを低減でき、広告費用の削減と同時に高い広告効果が得られる。
【０１０６】
第２情報整備モードの動作：
図１０および図１１は、第２情報整備モードにおける情報授与システムＳＶの動作フローチャートであり、受理側装置ＣＬから送付された意見情報を付加情報として取り入れて付加情報整備を実行し、データベース部ＤＢの付加情報部ＥＴｖへ付加情報ｅｔとして蓄積する。また図４は第２情報整備モードのデータの流れを説明するブロック図である。
【０１０７】
図１０に示すように、情報授与システムＳＶの第２受取手段０２２１は通信機構ＮＴ経由で受理側装置ＣＬから届いた要求信号ＣＬａにプロトコル処理等を施し、要求データを復元する（ステップＳ０１．２．２１）。ついでステップＳ０１．２．２２で付加データ搭載の要求データかを確認し、付加データ搭載でなければ情報送出モードへ移行する（ステップＳ０１．２．２３）。付加データ搭載であればステップＳ０１．２．２４で受理側識別データｉｄを抽出し、正当な受理側の認証委託と識別データを載せた双方向信号２３０ｂを認証手段０２３０へ送る。認証の結果、正当な受理側でなければステップＳ０１．２．２６へ進みエラーとして処理（アバンダン）し、正当な受理側であれば第２受取手段０２２１は受け取った付加データｅｔｄを処理手段０２２２へ送る（ステップＳ０１．２．２７）。
【０１０８】
処理手段０２２２は受けたデータが付加データｅｔｄであることを確認すると、これを信号２２２ａとして情報整備手段０２１２へ入力する（ステップＳ０１．２．２８）。
情報整備手段０２１２は処理手段０２２２から付加データｅｔｄが載った信号２２２ａの入力があったことで、データベース部ＤＢの付加情報部ＥＴｖの更新と認識し、当該付加データｅｔｄの内容から該当する情報提供側装置ＳＰを特定し、データｎｍｄとしてデータベース部ＤＢの検索基準情報部ＲＴｖへ送る（ステップＳ０１．２．２９）。
【０１０９】
検索基準情報部ＲＴｖは業種データの業種に対応する「提供側（店）」のリストを検索し、付加情報部ＥＴｖに在る該当する情報提供側装置ＳＰのファイルアドレスａｄｒを確認して情報整備手段０２１２へ返す（ステップＳ０１．２．３０）。
【０１１０】
ついで図１１で、情報整備手段０２１２はファイルアドレスａｄｒに基づいて、データベース部ＤＢの付加情報部ＥＴｖにある当該情報提供側装置ＳＰに係るファイル内の該当レコードを、送られた付加データの種類（評価点数、印象度合い、満足度、安定性など）により特定のうえ、送られた付加データｅｔｄを記入する（ステップＳ０１．２．３１）。ここで制御部０２００が第２情報整備モードを停止するかを決定し（ステップＳ０１．２．３２）、継続であればステップＳ０１．２．２１へ復帰させ、停止であれば第２情報整備モードを停止する。
【０１１１】
第２情報整備モードによる利点・効用：
上記のように第２情報整備モードは、情報授与システムＳＶが管理する情報の情報提供側装置ＳＰの店舗を利用した顧客が、利用の実経験に基づく評価や意見を情報授与システムＳＶに送付してくるのを汲み上げることにより、情報提供側装置ＳＰからは得られない貴重なデータを収集できる。しかも受理側装置ＣＬとインタラクティブな環境で意見を取り込むことができ、情報授与システムＳＶはこれらを用いて付加情報の内容を充実させることが可能となる。
【０１１２】
情報送出モードでの情報授与システムＳＶの動作：
図１２及び図１３は、情報授与システムＳＶの情報送出モードでの動作フローチャートである。
図１２で、情報授与システムＳＶの第２受取手段０２２１は通信機構ＮＴ経由で届いた要求信号ＣＬａにプロトコル処理等を施し、要求データを復元する（ステップＳ０１．２．５１）。ついでサービス種類データｓｒｄが搭載されているかを検査し（ステップＳ０１．２．５２）、サービス種類データｓｒｄがなければ情報整備モードへ移行する（ステップＳ０１．２．５３）。
【０１１３】
一方、サービス種類データｓｒｄを検出すると、情報送出モードとして受理側識別データｉｄを抽出し、正当な受理側装置ＣＬの認証委託と識別データを載せたコマンド２３０ｂを認証手段０２３０へ送る（ステップＳ０１．２．５４）。認証の結果、正当な受理側でなければエラー処理し（ステップＳ０１．２．５６）、正当な受理側であれば第２受取手段０２２１は新規にサービスセッション登録をする（ステップＳ０１．２．５７）。また現在のサービスセッションは記憶される。なおセッション継続中であれば新規登録に代えて、記憶されている現在のサービスセッションと対照して確認だけが為される。
ついで第２受取手段０２２１は位置データｐｄ、業種データｊｒｄ、サービス種類データｓｒｄを処理手段０２２２へ送る（ステップＳ０１．２．５８）。
【０１１４】
処理手段０２２２は、第２受取手段０２２１からデータを受けて、データのフォーマットの妥当性を検査する（ステップＳ０１．２．５９）。検査結果が妥当でなければ、サービス不能と判定してステップＳ０１．２．５６へ進み当該要求をアバンダンする。妥当であれば、ついでデータベースＤＢに蓄積されサービス可能な領域内にあるか等を検査する（ステップＳ０１．２．６０）。検査結果が妥当でなければ、サービス不能と判定してステップＳ０１．２．５６へ進み当該要求をアバンダンする。一方、検査結果が妥当であると、位置データｐｄ、業種データｊｒｄ、サービス種類データｓｒｄを検索手段０２２３へ送る（ステップＳ０１．２．６１）。
【０１１５】
検索手段０２２３は位置データｐｄ、業種データｊｒｄ、サービス種類データｓｒｄに基づきデータベース部ＤＢを検索し、適合した提供情報ｏｆまたは／および付加情報ｅｔとサービス種類データｓｒｄを情報加工手段０２２４へ送る（ステップＳ０１．２．６２）。
【０１１６】
ついで図１３で、情報加工手段０２２４はサービス種類データｓｒｄに指定されたサービス種類に基づき、提供情報ｏｆまたは／および付加情報ｅｔに以下の少なくとも何れかの情報加工を施す。
（１）複数の情報提供側装置ＳＰｎのリアルタイムの提供情報ｏｆを同一画面に表示させる加工。
（２）着目位置からの距離に基づき段階表示させる階層加工。
（３）特定の評価基準に基づき順位に従う表示をさせる順位加工。
情報加工したコンテンツ情報Ｃｔｓを、ついでデータ圧縮し、また形式を調整する（ステップＳ０１．２．６３）。データ圧縮処理は例えばライブ映像データではＭＰＥＧ４等が、また静的データではＪＰＥＧ準拠のアルゴリズム等をはじめ、他の任意のアルゴリズムが適用される。
【０１１７】
ついで情報加工手段０２２４は現在登録され記憶されたサービスセッションデータから受理側識別データｉｄを読み込み（ステップＳ０１．２．６４）、受理側識別データｉｄとコンテンツ情報Ｃｔｓから成る送出データを送出手段０２２５へ送る（ステップＳ０１．２．６５）。
【０１１８】
ここで制御部０２００は受理側装置ＣＬへ課金するか否かを決定し（ステップＳ０１．２．６６）、非課金であればステップＳ０１．２．６９へ進み、課金する場合は送出手段０２２５へ指示し、送出手段０２２５は課金決済手段０２３１へ双方向信号２３１ｂを送り課金処理を委託する（ステップＳ０１．２．６７）。ついで課金が正常処理されたかを確認し（ステップＳ０１．２．６８）、課金処理が不調ならステップＳ０１．２．５６へ進んでアバンダンし、正常処理されると、ステップＳ０１．２．６９において送出手段０２２５は送出データをプロトコル調整し、通信機構ＮＴを経て該当する受理側装置ＣＬへ送出する。
【０１１９】
受理側装置ＣＬの、第２情報整備モードおよび情報送出モードの動作：
図１４および図１５は、受理側装置ＣＬの第２情報整備モードおよび情報送出モードでの動作フローチャートである。
図１４で、制御部ＣｎｔはＧＵＩ機能により利用者に、コンテンツ情報の受理か、意見の送付かを選択させる（ステップＳ０１．１．０１）。こののち利用者が意見データ入力手段０１０４から意見データｅｔｄを入力したかを検査し（ステップＳ０１．１．０２）、意見データｅｔｄの入力があればステップＳ０１．１．０６へ進み、入力がなければステップＳ０１．１．０３へ進む。
【０１２０】
ステップＳ０１．１．０３で利用者が所望するサービスに係る情報をサービス種類データｓｒｄとして、サービス要求入力手段０１０５から入力が為され、ステップＳ０１．１．０４で利用者が所望する業種（ジャンル）を業種データｊｒｄとして、ジャンルデータ入力手段０１０２から入力が為され、ステップＳ０１．１．０５で位置データ提供手段０１０１から現在位置（または所望する位置）が位置データｐｄとして提供されると、取込手段０１１２はステップＳ０１．１．０６で、意見データｅｔｄを付加データｅｔｄとして取り込み、信号１１２ａとして編成手段０１１４へ送るか、または、サービス種類データｓｒｄと位置データｐｄと業種データｊｒｄを取込み、信号１１２ａとして編成手段０１１４へ送る。
【０１２１】
編成手段０１１４はｉｄ管理部０１１３から入手した受理側識別データｉｄに取込手段０１１２から受けたデータを加えた要求データを編成し、信号１１４ａとして送付手段０１１５へ送る（ステップＳ０１．１．０７）。
送付手段０１１５は要求データに基づき暗号化、セキュリティ処理、プロトコル調整を施し要求信号ＣＬａを編成して、通信インタフェースｉｆｓを介し通信機構ＮＴ経由で情報授与システムＳＶへ送付する（ステップＳ０１．１．０８）。
【０１２２】
ついで図１５で、受理側装置ＣＬの受理手段０１２１は情報授与システムＳＶから送出信号ＳＶａが届いたかを確認し（ステップＳ０１．１．０９）、送出信号ＳＶａが届くとプロトコル処理等を施して送出データを復元し、受理側識別データｉｄを照合し受理する（ステップＳ０１．１．１０）。
受理手段０１２１はついでコンテンツ情報ＣｔｓにＭＰＥＧ４デコーダやＪＰＥＧデコーダ等によるデータ伸張処理を施し（ステップＳ０１．１．１１）、提供情報ｏｆまたは／および付加情報ｅｔ、さらに表示制御コードを復元すると、これらを含む受理データを作成して呈示装置０１２２へ供給する（ステップＳ０１．１．１２）。
【０１２３】
呈示装置は提供情報ｏｆまたは／及び付加情報ｅｔを表示制御コードに基づき画面表示・音声奏鳴する（ステップＳ０１．１．１３）。表示制御コードにより、複数の情報提供側装置ＳＰｎがリアルタイムで発信している複数の提供情報ｏｆを同一画面に表示させることや、画面に表示された地図上の着目位置からの距離に応じて提供情報ｏｆまたは／及び付加情報ｅｔを段階表示させることや、さらには特定の評価基準に基づき順位に従う表示をさせる等の、種々の呈示が可能になる。
【０１２４】
情報送出モードによる利点・効用：
上記のように情報送出モードは、情報授与システムＳＶが一元管理し且つ常時、最新の情報に更新して情報整備するライブデータをはじめとする各種の提供情報を、リアルタイムまたは非リアルタイムで受理側装置ＣＬへ安価に情報送出して授与することが可能となる。受理側装置ＣＬが利用しやすいためアクセスが増加し、情報提供側装置ＳＰは高い広告効果が得られる。また規模効果で送出コストも低減できる。
【０１２５】
さらに複数の情報提供側装置ＳＰｎの夫々のコンテンツ情報Ｃｔｓ（たとえば夫々の動画データ）を受理側装置ＣＬへ一つのセッションで同時に授与できる。また受理側装置ＣＬは従来のインターネットのＷｅｂページ利用におけるような、複数の情報提供側装置ＳＰｎから提供情報を得る場合にハイパーリンク等により個々の情報提供側装置ＳＰ夫々にアクセスして情報を個々に入手するといったような操作煩雑で且つ時間を要する課題に煩わされることなく、一つの情報授与システムＳＶへアクセスするだけで複数の提供情報を一挙に入手することができる。このように入手した複数の提供情報は、同一画面上に並行的に一挙に表示して容易な比較を可能にし、或いは別セッションを立ち上げることなく順に、しかも所望の順序で表示させるようにもでき、利便性が確実に向上する。
【０１２６】
とりわけ乗用者をはじめ、携帯電話機を操作する歩行者といった移動体一般に対する効果的な広告配信を可能にする。さらに特定エリア内に居る人々をターゲットにコンテンツ情報を配信できるから、広告効果を高めることができる。
すなわち広告主は宣伝効果が高い間近の顧客に対して適切な広告を提供できる。且つ現在の状況に応じた広告で情報提供できる。例えば百貨店や量販店では時間で刻々と変わるディスカウント商品情報の提供や、駐車場の空き情報の提供が可能になる。飲食店においても本日のメニューの紹介や、お勧め品の紹介などが可能になる。
【０１２７】
またサーバの情報授与システムＳＶがベンダーである情報提供側装置ＳＰの店舗のライブ映像をクライアントの受理側装置ＣＬに授与することによって、現在の店内の状況（空いているか混んでいるか、雰囲気はどうか等）をリアルタイム映像で提供できる。これにより、店に行ったが長時間待たされたとか、既に打ち止めで本日終了だった、などの不都合を回避できる。
【０１２８】
また情報授与システムＳＶが情報加工をすることによって、以下のような従来になかった付加情報を受理側装置ＣＬに提供できる。
その１：　該当する複数の店につき、空席率の順に並べる加工をして情報を提供する。さらに値段、人気度の情報を加味して提供することができ、値段と人気度を見た利用者が、「空いているが利用を見送ろう」など判断できる。
その２：人気度がある点数以上の店につき、現在の待ち時間の順に並べて提供する。
【０１２９】
さらに、エリアの規模すなわち大きさによって広告料金を設定でき、合理的な料金体系にできると同時に、広告主側の費用対効果を改善できることによって、より効果的なビジネスモデルを具現できる。
【０１３０】
上記説明のように、第１情報整備モードにより、多数の情報提供側装置ＳＰ（広告主）の提供情報（たとえば店舗のライブ情報）を、サーバである情報授与システムＳＶがリアルタイムまたは非リアルタイムで収集・更新し、管理できる。さらに第２情報整備モードにより、クライアントである受理側装置ＣＬとインタラクティブな情報授受することで利用者から意見データを収集でき、上記提供情報の付加情報として整備できる。さらに情報送出モードによって、各情報提供側装置ＳＰの提供情報（たとえば店舗のライブ情報）を情報授与システムＳＶがリアルタイムまたは非リアルタイムで受理側装置ＣＬへ授与できるのみならず、情報授与システムＳＶがこれら情報に基づき独自の情報加工を行い、付加価値をつけた情報提供を受理側装置ＣＬへ行うことができる。
【０１３１】
上記は、情報授与システムＳＶが情報整備機能、検索機能、情報加工機能、課金機能を具備し、また各情報提供側装置ＳＰ（広告主）から特にリアルタイム情報を受ける機能を具備し、さらに受理側装置ＣＬからインタラクティブで意見データを汲み上げる機能を具備した構成とすることで具現される。また上記情報の深度（デプス）に応じた課金を行うよう構成でき、さらに合理的かつ効果的なビジネスモデル提供が可能となる。
【０１３２】
【発明の効果】
以上説明したように本発明の情報授与方法および情報授与システムは、情報提供側装置から提供される情報を受けて記憶し、一方、情報の受理側装置から送付された着目情報送出の要求を受けて適合する着目情報を作成し、受理側装置へ送出して授与するから、個々の情報提供側装置が個々に情報管理して受理側装置へ提供するよりも手間を要せず、しかも低廉に提供できる。また位置情報と組み合わせる構成とすることで、間近の顧客に効率的に着目情報を提供でき、とりわけ情報が広告情報である場合に広告効果を改善できる。
【０１３３】
さらに、複数の情報提供側装置から提供された複数の情報を同一画面に表示可能な着目情報として送出でき、また複数の情報提供側装置から提供された複数の情報を比較し、または／および受理側装置から得た付加情報に基づいて、情報提供側または情報提供側装置を所定の基準で順位付けた情報を着目情報として送出できるから、受理側装置において利用至便の情報が得られ、しかも操作が簡素化され使い勝手がよいという効果がある。
【０１３４】
さらに提供された情報につき情報提供側装置への課金額を演算する方法または構成とすることで、とりわけ提供された情報が広告情報の際に合理的な課金が可能になる。
また、要求の送付量または着目情報の送出量に基づいて受理側装置への課金額を演算する方法または構成にすることで、とりわけ受理側装置の利用状況を反映した受理側装置への課金が可能になる。
【図面の簡単な説明】
【図１】本発明に係る情報授与システムの一例および情報提供側装置および受理側装置および通信機構の相互関係の一例を示す説明図である。
【図２】本発明に係る情報授与システムの一実施形態を示すブロック構成図である。
【図３】データベース部の一例の概要ブロック構成図である。
【図４】情報授与システムの第２情報整備モードにおけるデータ流れの説明図である。
【図５】図１に示された受理側装置の一例のブロック構成図である。
【図６】情報提供側装置および情報授与システムの入出力データ構成の一例の説明図である。
【図７】受理側装置の入出力データ構成の一例の説明図である。
【図８】情報授与システムの第１情報整備モードにおける動作フローチャートである。
【図９】図８に続く動作フローチャートである。
【図１０】情報授与システムの第２情報整備モードにおける動作フローチャートである。
【図１１】図１０に続く動作フローチャートである。
【図１２】情報授与システムの情報送出モードにおける動作フローチャートである。
【図１３】図１２に続く動作フローチャートである。
【図１４】受理側装置の動作フローチャートである。
【図１５】図１４に続く動作フローチャートである。
【符号の説明】
ＳＶ‥‥情報授与システム、ＣＬａ‥‥要求信号、ＳＶａ‥‥送出信号、０２００‥‥制御部、００２１‥‥情報整備部、００２２‥‥情報送出部、００２３‥‥認証・課金部、ＤＢ‥‥データベース部、ＲＴｖ‥‥検索基準データ部、ｓｅｔ＿Ｅ‥‥検索情報の集合、ＯＦｖ‥‥提供情報部、ｓｅｔ＿ｏｆ‥‥提供情報の集合、ＥＴｖ‥‥付加情報部、ｓｅｔ＿ｅｔ‥‥付加情報の集合、ＳＰ‥‥情報提供側装置、ＮＷ‥‥通信回線、ＮＴ‥‥通信機構、ＣＬ‥‥受理側装置（クライアント）、００１０‥‥発生グループ、００１１‥‥要求データ編成・送付部、００１２‥‥データ受理・呈示部、０１１３‥‥ｉｄ管理部、Ｐｗ‥‥電源部
【図１】
2004078551.tif 000003
【図２】
2004078551.tif 000004
【図３】
2004078551.tif 000005
【図４】
2004078551.tif 000006
【図５】
2004078551.tif 000007
【図６】
2004078551.tif 000008
【図７】
2004078551.tif 000009
【図８】
2004078551.tif 000010
【図９】
2004078551.tif 000011
【図１０】
2004078551.tif 000012
【図１１】
2004078551.tif 000013
【図１２】
2004078551.tif 000014
【図１３】
2004078551.tif 000015
【図１４】
2004078551.tif 000016
【図１５】
2004078551.tif 000017